(57)【要約】【課題】アンテナ給電部と基板グランドパターンとの距離を確保してアンテナの送受信特性の低下を防止する。【解決手段】壁面板１３１Ｂと背面板１３１Ａとを有し、背面板１３１Ａに第１開口が形成されたインナーケース１３と、背面板１３１Ａの側に給電部を有するサブ基板アセンブリ２５と、グランドパターン２３Ａとを有する回路基板（２３,２５）と、スカート部８１１と固定接続部８１２とを有してインナーケース１３の外部に配設され、スカート部８１１が壁面板１３１Ｂ側に形成され、固定接続部８１２が、壁面板１３１Ｂ側から背面板１３１Ａ側に跨って形成され、第１開口部を介して給電部に電気的に接続されたアンテナ固定部８１Ｃと、スカート部８１１取り付けられて固定接続部８１２を介して給電部からの給電を受けるアンテナ８１と、を有する。【選択図】図７
2010109862.tif 000002
【特許請求の範囲】
【請求項１】
第１の外表面と前記第１の外表面とは異なる方向を向いて形成されると共に第１の開口部が形成された第２の外表面とを有する筐体と、
前記第２の外表面の側に形成された給電部と前記第１の外表面の側に形成されたグランドパターンとを有して前記筐体の内部に配設される回路基板と、
第１部分と第２部分とを有して前記筐体の外部に配設され、前記第１部分が前記筐体の前記第１の外表面側に形成され、前記第２部分が、前記第１部分側から前記筐体の前記第２の外表面側に跨って形成されると共に前記第１の開口部を介して前記給電部に電気的に接続された中間部材と、
前記中間部材の前記第１部分に取り付けられると共に、前記第２部分を介して前記給電部からの給電を受けるアンテナと、
を有する携帯端末。
【請求項２】
前記第１の開口部の周囲にパッキンが配設される
請求項１に記載の携帯端末。
【請求項３】
前記回路基板の前記第２の外表面に対応する面とは反対側の面にはシールドケースが配設される
請求項１または請求項２に記載の携帯端末。
【請求項４】
前記筐体の前記第２の外表面には第２の開口部が形成され、
前記中間部材は前記第２の開口部を介して前記筐体に取り付けられる
請求項１乃至請求項３の何れか一項に記載の携帯端末。
【請求項５】
前記中間部材は前記アンテナの一部を構成する
請求項１乃至請求項４の何れか一項に記載の携帯端末。
【請求項６】
前記アンテナは前記中間部材の前記第１部分に取り付けられた部位を支点として移動可能に構成される
請求項１乃至請求項５の何れか一項に記載の携帯端末。
【発明の詳細な説明】
【技術分野】
【０００１】
本発明は、携帯電話機、ＰＤＡ(Personal Digital Assistant)、小型無線機（トランシーバ）などの携帯端末に関する。
【背景技術】
【０００２】
第１の外表面と、該第１の外表面とは異なる向きの第２の外表面とを有する筐体と、該筐体の内部に配設されると共に、第２の外表面側に形成された給電部と第１の外表面側に形成されたグランドパターンとを有して構成される回路基板と、アンテナとを有する携帯端末が知られている（例えば、特許文献１参照）。
特許文献１に記載されたアンテナは内蔵アンテナである。内蔵アンテナと回路基板は、そのどちらも筐体内に配置されるため接続（給電）は比較的容易である。
【特許文献１】特開２００６−２３８２０４号公報
【発明の開示】
【発明が解決しようとする課題】
【０００３】
ところで、アンテナを外付けにする際には、多くの場合、そのアンテナを筐体の外表面に取り付けるのが一般的である。
しかしながら、回路基板には通常、グランドパターンが形成されているため、アンテナに当該外表面側から給電を行おうとすると、どうしても給電部とグランドパターンの十分な距離が確保されず、アンテナを介して送受信する信号の特性にグランドパターンの近接が影響を与えて所望の送受信特性が得られない事態が発生する。
【０００４】
本発明の目的は、アンテナの送受信特性の低下が抑制可能な携帯端末を提供することである。
【課題を解決するための手段】
【０００５】
本発明に関わる携帯端末は、第１の外表面と前記第１の外表面とは異なる方向を向いて形成されると共に第１の開口部が形成された第２の外表面とを有する筐体と、前記第２の外表面の側に形成された給電部と前記第１の外表面の側に形成されたグランドパターンとを有して前記筐体の内部に配設される回路基板と、第１部分と第２部分とを有して前記筐体の外部に配設され、前記第１部分が前記筐体の前記第１の外表面側に形成され、前記第２部分が、前記第１部分側から前記筐体の前記第２の外表面側に跨って形成されると共に前記第１の開口部を介して前記給電部に電気的に接続された中間部材と、前記中間部材の前記第１部分に取り付けられると共に、前記第２部分を介して前記給電部からの給電を受けるアンテナと、を有する。
【０００６】
好適に、前記第１の開口部の周囲にパッキンが配設される。
好適に、前記回路基板の前記第２の外表面に対応する面とは反対側の面にはシールドケースが配設される。
好適に、前記筐体の前記第２の外表面には第２の開口部が形成され、
前記中間部材は前記第２の開口部を介して前記筐体に取り付けられる。
好適に、前記中間部材は前記アンテナの一部を構成する。
好適に、前記アンテナは前記中間部材の前記第１部分に取り付けられた部位を支点として移動可能に構成される。
【発明の効果】
【０００７】
本発明によれば、アンテナの送受信特性の低下が抑制可能な携帯端末を提供することができる。
【発明を実施するための最良の形態】
【０００８】
本発明の実施形態を、携帯電話機を例として図面を参照して説明する。
【０００９】
図１は、本発明の実施形態に関わる携帯電話機の外観を開状態で示す斜視図である。図２と図３は、携帯電話機の外観を閉状態で示す斜視図である。図４は、携帯電話機の信号処理系の構成を一例として示すブロック図である。
【００１０】
図１乃至図３に図解する携帯電話機１は、いわゆる折り畳み式の携帯電話機として構成されている。
すなわち、携帯電話機１は、回転軸ＲＡ回りに相対回転可能に連結された第１筐体３及び第２筐体５を有し、開状態と閉状態との間で遷移可能である。第１筐体３及び第２筐体５は、それぞれの端部が回転の中心となる連結部６により連結されることにより携帯電話機１全体の筐体を構成する。
図２および図３に示す閉状態では、第１筐体３及び第２筐体５が重ね合わされる。
図１に示す開状態では、第１筐体３及び第２筐体５の閉状態において互いに対向していた面が離間して、第１筐体３及び第２筐体５は同一平面上配置に概ね近い状態にまでなる。第１筐体３及び第２筐体５は、それぞれ概ね薄型直方体状に形成されており、閉状態では互いの輪郭が略一致する。
【００１１】
第１筐体３には、図４に示す構成のうち音響や電波の送受部（入出力部の一種）、例えば、通話用のマイクロフォン８７、通信のためのアンテナ８１、報知用のスピーカ８５が設けられている。第１筐体３には、他の入出力部として、撮像部８９、ユーザの操作を受け付ける操作部７が設けられている。
アンテナ８１は、詳細は後述するが、携帯電話機１の側面側に外付けされている。
操作部７は、図１に示すように、複数のキー３５を含んで構成されている。
【００１２】
第２筐体５には、図４に示す構成の残りの入出力部、例えば、通話用のスピーカ８３、画像や文字を表示する表示部９（図１参照）が設けられている。
表示部９は、例えば液晶パネルあるいは有機ＥＬパネル等で構成され、その表示面が、閉じたときに第１筐体３と対向する第２筐体５の面内で比較的大きな面積を占めている。
【００１３】
なお、以下では、第１筐体３及び第２筐体５において、閉状態において互いに対向し開状態で露出する面の側を“正面側”と呼ぶことがある。この場合、第１筐体３及び第２筐体５の各々において正面側と反対の側、つまり閉状態の厚さ方向（筐体の重ね合わせ方向）の表面側を“背面側”と呼ぶことがある。
【００１４】
携帯電話機１は、各種処理部として、図４に示すように、ＣＰＵ７１、メモリ７３、通信処理部７５、音響処理部７７及び画像処理部７９を有している。これら各部は、主として、第１筐体３内のメイン基板（不図示）等に設けられた電子部品等により構成されている。
【００１５】
ＣＰＵ７１は、キー３５を含む操作部７等の各種手段からの信号に基づいて所定の演算を行い、画像処理部７９等の各種手段の制御を実行する制御部として機能する。ＣＰＵ７１は、この制御の実行時に、メモリ７３から必要なデータやプログラムを適宜、読み出して用いる。
ＣＰＵ７１に、操作部７やメモリ７３の他に、制御対象のブロックとして、通信処理部７５、音響処理部７７および画像処理部７９が接続されている。
【００１６】
通信処理部７５は、電波を利用した無線通信により、通信システム（電話網やインターネット）を介した他の携帯端末装置やサーバとの通信を行うための処理を行う。
より詳細には、音響処理部７７で処理された音響データ、画像処理部７９で処理された画像データ等の各種データが、ＣＰＵ７１でさらに処理されて通信処理部７５に入力される。通信処理部７５は、これらの各種データにより発振信号を変調して、変調された信号を、アンテナ８１を介して送信する。
また、通信処理部７５は、アンテナ８１を介して受信した信号を復調し、復調したデータをＣＰＵ７１に出力する。復調したデータは、ＣＰＵ７１で必要な処理を受けた後、音響処理部７７や画像処理部７９に送られて通話やアプリケーションの実行に供される。
【００１７】
音響処理部７７は、ＣＰＵ７１からの音響データを電気信号に変換して、その信号を、通話用のスピーカ８３、又は、報知音等を出力するスピーカ８５に出力する。スピーカ８３及びスピーカ８５は、音響処理部７７からの電気信号を音響に変換し、その音響を出力する。一方、マイクロフォン８７は、入力された音響を電気信号に変換し、その信号を音響処理部７７に出力する。音響処理部７７は、マイクロフォン８７からの電気信号を音響データに変換し、その音響データをＣＰＵ７１に出力する。
【００１８】
画像処理部７９は、ＣＰＵ７１からの画像データを、表示部９に適合する画像信号に変換し、その信号を表示部９へ出力する。また、画像処理部７９は、撮像部８９から出力される撮像信号（画像データ）を所定のフォーマットの画像データに変換し、その画像データをＣＰＵ７１へ出力する。
メモリ７３は、制御データやプログラムを格納する以外に、画像や音声、さらには文書等のコンテンツを保存する。
【００１９】
なお、第１筐体３には、図４には図示していないが、例えば第１筐体３の背面側から着脱可能なバッテリが設けられている。
図３は第１筐体３側の背面斜視図である。第１筐体３側の背面には、バッテリ収容部の蓋体１７が配設されている。
【００２０】
図５は、第１筐体３の分解斜視図である。ただし、煩雑化防止のため図５では主に筐体の構成部品（ケース）と、筐体に収納される基板等の主な部品とを示す。図示を省略した構成は、以下“（不図示）”と表記する。また、図５には第１筐体３の長手方向（Ｌ）と幅方向（Ｗ）を矢印により図示している。
図６（Ａ）と図６（Ｂ）はアンテナの拡大された斜視図である。図７は、図５のＡ−Ａ線に沿った概略断面図である
【００２１】
図５に分解して示すように、携帯電話機１は、第１筐体３の正面側部分を構成するフロントケース１１と、第１筐体３の内部側部分を構成するインナーケース１３と、第１筐体３の背面側部分を構成するリアケース１５及び蓋体１７（図３参照）とを有している。
【００２２】
携帯電話機１は、第１筐体３内部において、フロントケース１１側から順に積層的に配置された、キーシート１９、フレキシブルプリント配線板（ＦＰＣ）（不図示）、シールドケース２１、メイン基板２３、サブ基板アセンブリ２５、及び、バッテリ（不図示）を有している。
【００２３】
インナーケース１３は、概ね、フロントケース１１側が開放された第１箱状部１３１と、リアケース１５側が開放された第２箱状部１３２とに区分できる。第１箱状部１３１と第２箱状部１３２との間に仕切り壁１３３が存在する。仕切り壁１３３の幅方向（Ｗ）の一方端部から、第２箱状部１３２の側壁１３４が長手方向（Ｌ）に長尺状に延びている。側壁１３４のフロント側（図５では下側）の長辺に沿って、フロント側と背面側に面する長尺状のアンテナ保持板１３５が形成されている。
第１箱状部１３１、第２箱状部１３２、仕切り壁１３３、側壁１３４およびアンテナ保持板１３５、ならびに、説明を省略したその他のインナーケース構成部は、樹脂等で一体成形されている。
なお、側壁１３４とアンテナ保持板１３５は、アンテナエレメントが、収容時に第１筐体３全体の箱体状外郭から外に出っ張らないようにするために断面Ｌ字状の壁で区切られた空間を形成する。
【００２４】
フロントケース１１は、概ね、インナーケース１３側が開放された、インナーケース１３よりも薄い箱体状に形成されている。フロントケース１１は、インナーケース１３に対して正面側から被せられ、インナーケース１３の正面側を覆う部材である。
【００２５】
リアケース１５は、概ね、インナーケース１３側が開放された、インナーケース１３よりも薄い箱体状に形成されている。リアケース１５の背面側には、バッテリ（不図示）を出し入れするための開口部１５１が形成されている。リアケース１５は、インナーケース１３に対して背面側から被せられる。このときリアケース１５は、インナーケース１３の主に第１箱状部１３１側を覆うとともに、インナーケース１３の幅方向（Ｗ）側壁および長手方向（Ｌ）側壁を囲む。
【００２６】
蓋体１７は、リアケース１５の背面側の開口部１５１と概ね同様の形状及び大きさを有する概ね板状に形成されている。蓋体１７は、リアケース１５の背面側の開口部１５１に配置され、バッテリを収容する第２箱状部１３２の蓋として機能する。
【００２７】
このように、インナーケース１３は、フロントケース１１、リアケース１５及び蓋体１７によって包まれる。すなわち、フロントケース１１、リアケース１５及び蓋体１７は、内包筐体であるインナーケース１３を包む外装筐体を構成している。
【００２８】
フロントケース１１、インナーケース１３、リアケース１５及び蓋体１７は、例えば、主として非導電性の樹脂によりそれぞれ成形されている。ただし、インナーケース１３は、樹脂にガラスフィラーが混ぜ込まれることなどにより、外装筐体を構成する樹脂よりも剛性の高い樹脂により形成されている。また、インナーケース１３は、外装筐体よりも厚く形成されている。従って、インナーケース１３は、外装筐体に比較して、せん断や曲げに対する強度が高くなっている。
【００２９】
フロントケース１１、インナーケース１３及びリアケース１５は、例えば、ネジ若しくは係合部又はその双方により互いに固定される。蓋体１７は、係合部等によりインナーケース１３若しくはリアケース１５又はその双方に着脱可能に固定される。
【００３０】
このとき図５に示すように、キーシート１９、ＦＰＣ（不図示）、シールドケース２１、メイン基板２３及びサブ基板アセンブリ２５は、フロントケース１１及びインナーケース１３によって、これらの部材の積層方向において挟持される。バッテリ（不図示）は、インナーケース１３の第２箱状部１３２に収納され、リアケース１５と蓋体１７（図３参照）によってインナーケース１３からの脱落が防止される。
【００３１】
一方、フロントケース１１においては、ユーザの操作を受け付ける複数のキー３５が露出している（図１参照）。フロントケース１１は、枠状に形成されたケース本体１１１と、ケース本体１１１の開口を塞ぐようにケース本体１１１に接着された、比較的剛性の低い材料のキー構成部１１２とを有している。キー構成部１１２は、ユーザの押圧に伴って容易に撓むことが可能に形成されている。
【００３２】
キーシート１９は、例えば、ゴム等の遮水性を有する（水を透さない）非導電性の弾性部材により構成されており、不図示のフレキシブル基板（ＦＰＣ）を介してシールドケース２１に支持されて構成されている。キーシート１９は、複数のスイッチを覆っている。キーシート１９のスイッチは、通常、ＦＰＣにドーム状に形成され、ユーザの押圧力によって、ドーム状の可動接点がドーム中心に設けられた固定接点に接触可能となっている。
シールドケース２１は、例えば金属により形成されており、第１筐体３の強度向上に寄与している。なお、シールドケース２１は、樹脂等の非導電性の基体表面に金属層等の導電層が設けられて構成されてもよい。シールドケース２１は、メイン基板２３をフロントケース１１側から覆ってシールドする。
【００３３】
メイン基板２３は、例えば、硬質の樹脂をベースとしたリジッド式の回路基板により構成されている。メイン基板２３には、複数の電子部品が実装されている。また、メイン基板２３には、実装面を複数の領域に区画するように縦横に延びるグランドパターンが形成されている。
【００３４】
図７には、第１箱状部１３１と対応する第１筐体３の幅方向（Ｗ）断面が現れている。
メイン基板２３上にグランドパターン２３Ａが形成されている。グランドパターン２３Ａは、メイン基板２３の主面の周縁より内側にも適宜配置されるほか、メイン基板２３の周縁部に外周を一周して形成されることにより、メイン基板２３に実装された部品による回路をシールドする効果もある。グランドパターン２３Ａはシールドケース２１と電気的に接続される。
メイン基板２３の端部は、図７の断面では、背面板１３１Ａと共に第１箱状部１３１を構成する壁面板１３１Ｂの直ぐ近くまで迫っている。
【００３５】
リアケース１５には、アンテナ保持部１５２が設けられている。アンテナ保持部１５２は、インナーケース１３の一部を構成する側壁１３４とアンテナ保持板１３５が成す断面Ｌ字面に適合するフロント側形状を有する。アンテナ保持部１５２のリア側に、アンテナ８１（正確には、ロッド状のアンテナエレメント８１Ａ）を収納する半円状の溝１５３が形成されている。
アンテナ保持部１５２は、溝１５３の一方端側に、アンテナ８１のアンテナエレメント８１Ａの基部（軸回転部）が収まる空間を有している。
【００３６】
図６（Ａ）にアンテナ８１の拡大斜視図を示す。なお、図６（Ｂ）は、図６（Ａ）に示すアンテナ８１の上下をひっくり返して見たときの斜視図である。
図６（Ａ）に示すように、アンテナ８１は、ロッド状のアンテナエレメント８１Ａと、軸回転部８１Ｂと、アンテナ固定部８１Ｃと、から主に構成されている。
【００３７】
アンテナ固定部８１Ｃは、さらに、軸回転部８１Ｂが一端部付近に配設されるスカート部８１１と、スカート部８１１の他端部に対してＬ字状に延びる固定接続部８１２とから構成される。
アンテナ８１の取り付け後においては、図７に示すように、スカート部８１１が第１箱状部１３１の壁面板１３１Ｂに沿って配置される。また、固定接続部８１２が、第１箱状部１３１の背面板１３１Ａ上に乗り上げて配置される。
【００３８】
アンテナ８１の固定接続部８１２は、スカート部８１１側にネジ孔８１３を有する。固定接続部８１２は、ネジ孔８１３より筐体内部に向かう側の裏面（正確には、フロント側面）に、図６（Ｂ）および図７に示すように円柱または多角柱状の突起部８１４を有する。突起部８１４の線端面からは、さらに径が小さい接続端子８１５が突出する。
第１箱状部１３１の背面板１３１Ａには、アンテナ固定部８１Ｃのネジ孔８１３に対応する雌ネジ穴と、突起部８１４に対応する大きさのアンテナ接続孔が形成されている。
【００３９】
アンテナ固定部８１Ｃは、第１箱状部１３１のアンテナ接続孔に突起部８１４を落とし込んだ状態で、ネジ孔８１３にネジ８２を通し、ネジ８２をドライバ等で回すことにより雌ネジ穴とネジ８２を螺合させる。これにより、アンテナ８１が第１箱状部１３１に固定される。なお、ネジ固定箇所は１箇所であるが、突起部８１４とアンテナ接続孔とが係合する２点支持固定であるため、アンテナ８１は第１箱状部１３１にしっかりと固定される。
このとき突起部８１４の先端面から突出する接続端子８１５が、第１箱状部１３１内部に既に配置されているサブ基板アセンブリ２５の所定の“給電部”に接続される。
【００４０】
ここで図７に示す各部と本願発明との対応を説明する。
インナーケース１３（厳密には、その一部である第１箱状部１３１）が“筐体”の例である。壁面板１３１Ｂの外側表面が筐体の“第１の外表面”の一例に該当し、背面板１３１Ａの外側（背面側）表面が“第２の外表面”の一例に該当する。
メイン基板２３とサブ基板アセンブリ２５の双方で、“回路基板”を構成し、グランドパターン２３Ａが“グランドパターン”に該当し、サブ基板アセンブリ２５上で接続端子８１５が接続される導電層が“給電部”の一例に該当する。
【００４１】
アンテナ８１のアンテナエレメント８１Ａと軸回転部８１Ｂの一部が、“アンテナ”に該当し、軸回転部８１Ｂの他の一部とアンテナ固定部８１Ｃが“中間部材”の一例に該当する。
ここで軸回転部８１Ｂの他の一部とは、スカート部８１１から外側に突出する軸受け部分であり、軸回転部８１Ｂの一部とは、当該軸受け部分に回転軸を介して回転可能に軸止めされたアンテナエレメントの基部である。
アンテナ固定部８１Ｃのスカート部８１１が“中間部材の第１部分”の一例に該当し、固定接続部８１２、突起部８１４および接続端子８１５が“中間部材の第２部分”の一例に該当する。
突起部８１４が通される背面板１３１Ａの孔（アンテナ接続孔）が“第１の開口部”の一例に該当する。ネジ８２と螺合する、背面板１３１Ａの雌ネジ穴が“第２の開口部”の一例に該当する。
【００４２】
ここで、アンテナエレメント８１Ａがアンテナ８１の主要な電波の送受信部分（アンテナエレメント）である。ただし、アンテナエレメント８１Ａに電気的、機械的に接続された、軸回転部８１Ｂ、アンテナ固定部８１Ｃ、突起部８１４、接続端子８１５も含めて広義のアンテナエレメントとして機能する。これにより、アンテナ８１がもつ実効的なアンテナ長がアンテナエレメント８１Ａ単体のアンテナ長より大きくなり、アンテナ特性が向上している。
アンテナエレメント８１Ａ、軸回転部８１Ｂ、アンテナ固定部８１Ｃ、突起部８１４、接続端子８１５は同一の導電性材料から形成してもよいし、適宜、複数の異なる導電性材料から形成してもよい。
【００４３】
ここで、突起部８１４が背面板１３１Ａのアンテナ接続孔に挿入された図７の状態で、その突起部８１４の周囲にＯリング（パッキン）５５が配設されている。アンテナ接続孔の周囲は、背面板１３１Ａの固定接続部８１２との接触面より一段低い凹部が形成されており、その凹部にＯリング５５を挿入した状態の突起部８１４が落とし込まれている。ネジ８２を締め付ける固定時にＯリング５５が潰れて凹部内の隙間を埋めることで防水が図られる。よって、外部からの水分がこのアンテナ接続孔を介して浸入することがない。
【００４４】
軸回転部８１Ｂが位置する面（壁面板１３１Ｂ）と、第１の開口部として孔（アンテナ接続孔）が設けられた背面板１３１Ａの面とが異なる。図７に示す例では軸回転部８１Ｂが壁面板１３１Ｂに直接設けられていないが、軸回転部８１Ｂを壁面板１３１Ｂに直接形成してもよい。その場合、アンテナ８１の移動によって応力が壁面板１３１Ｂにかかるが、壁面板１３１Ｂと異なる背面板１３１Ａにアンテナ接続孔が形成されているため、当該応力がアンテナ接続孔側に伝わって防水効果が低減することが抑制される。
【００４５】
一方、図７に示す例では軸回転部８１Ｂがアンテナ固定部８１Ｃのスカート部８１１に固定されているため、アンテナ移動に伴う応力がアンテナ固定部８１Ｃを伝わる。しかし、アンテナ固定部８１Ｃの軸回転部８１Ｂの固定位置と、アンテナ接続孔側のＯリング５５が配置される箇所との間に、ネジ８２によるネジ止め箇所が存在する。このため、アンテナ移動に伴う応力がＯリング５５側（アンテナ接続孔）側に伝達することが防止または抑制される。
また、別の観点では、ネジ止めのための第２の開口部（ネジ孔８１３）が、アンテナが固定された第１の外表面側（壁面板１３１Ｂ側）と異なる第２の外表面側（背面板１３１Ａ側）に形成される。したがって、アンテナ移動の外力が、防水効果の低下防止のみならず、ネジ止め部に伝達されて固定力を低下させることも抑制される。
【００４６】
このようにＯリング５５等による防水が施されるアンテナ接続孔が形成される面（背面板１３１Ａの外面）は、リアケース１５によって覆われる。したがって、その意味でも防水効果の更なる向上が図られている。また、アンテナ８１をインナーケース１３に実質的に固定するネジ止め箇所も、リアケース１５に覆われる面に存在するため、ネジ等の錆、その他の外部からの作用で固定力が低下することによる防水効果の低減が抑制される。
【００４７】
ここで、アンテナ固定部８１Ｃの突起部８１４の外径と、アンテナ接続孔の内径とのクリアランスは双方の寸法公差が許す限り微小なクリアランスとしている。
逆に、ネジ８２の外径と、固定接続部８１２に形成された貫通穴（ネジ孔８１３）の内径とのクリアランスは大きくしている。つまり、突起部８１４をアンテナ接続孔に挿入した状態で、ネジ孔８１３の中心が、背面板１３１Ａ側の雌ネジ穴の中心と多少ずれていても、ネジ孔８１３を介したネジ８２によるネジ止めが可能なクリアランスが設定されている。
これに反し、ネジ孔８１３側のクリアランスが小さいと、ネジ止めによって生じる負荷が突起部８１４側にかかり、Ｏリング５５に均一な押圧力を印加することができない。本実施形態では、そのようなことが無いように、ネジ孔８１３側のクリアランスを、突起部８１４の挿入クリアランスより十分に大きくしている。その結果、Ｏリング５５による高い防水効果が得られる。
【００４８】
また、アンテナ８１の給電（送受信信号の受け渡し）を、筐体の厚さ方向側で行うため、確実な給電接続が可能である。
また、給電部付近にグランドパターンが近接しない給電場所が選択できるため、グランドパターンの近接によって、高い周波数の送信信号または受信信号が影響を受けにくい給電構造が達成でき、これによりアンテナの送受信特性の低下が抑制される。
【００４９】
さらに、筐体に対するアンテナ８１の給電をアンテナ取り付け側の面と異ならせることによって、シールドケース２１と回路基板の給電部（接続端子８１５の接触箇所）との距離が離れる。このため、シールドケース２１の給電部への近接によるアンテナ送受信特性の低下が抑制される。
【００５０】
本発明は、以上の実施形態に限定されず、種々の態様で実施されてよい。
【００５１】
携帯端末は、携帯電話機に限定されない。例えば、携帯端末は、小型無線機（トランシーバ）のほか、無線通信機能を備えた各種電子機器、例えば、ノートパソコン、ＰＤＡ、ゲーム機、カメラ等であってもよい。また、携帯端末が携帯電話機である場合、第１筐体（内包筐体及び外装筐体を有する筐体）と、第２筐体との役割分担（収容する電子部品）は、実施形態と逆であってもよい。
【００５２】
携帯端末が携帯電話機の場合に、図５に各ブロックで示す構成部品が、第１筐体３と第２筐体５のどちらに設けられるかは、上記実施形態の説明に必ずしも限定されない。例えば、アンテナ８１や撮像部８９は、第１筐体３に限らず、第２筐体５に配設してもよい。音響処理部７７や画像処理部７９の一部を第２筐体５に設けてもよい。
【００５３】
以上の実施形態および変形例によれば、防水用に配置したＯリングの潰し量を均一に保つことができ、防水信頼性が向上する。防水部の形状を小型化でき、アンテナの金属固定部と基板との距離を確保でき、アンテナの電気特性が向上する。また、アンテナの金属固定部をアンテナエレメントとして機能させると、必要なアンテナ長を確保した上でアンテナの配置面積をコンパクトにすることができる。
【図面の簡単な説明】
【００５４】
【図１】実施形態に関わる携帯電話機の外観を開状態で示す斜視図
【図２】実施形態に関わる携帯電話機の外観を閉状態で示す斜視図
【図３】実施形態に関わる携帯電話機の閉状態を示す、他の角度からの斜視図
【図４】実施形態に関わる携帯電話機の信号処理系ブロック図
【図５】実施形態に関わる第１筐体の分解斜視図
【図６】（Ａ）と（Ｂ）は、実施形態に関わるアンテナの異なる角度の斜視図
【図７】実施形態に関わり、図５のＡ−Ａ線に沿った断面図
【符号の説明】
【００５５】
１…携帯電話機、
３…第１筐体、
１１…フロントケース、
１３…インナーケース、
１３１…第１箱状部、
１３１Ａ…背面板、
１３１Ｂ…壁面板、
１３２…第２箱状部、
１３４…側壁、
１５…リアケース、
５…第２筐体、
９…表示部、
２１…シールドケース、
２３…メイン基板、
２３Ａ…グランドパターン、
２５…サブ基板アセンブリ、
８１…アンテナ、
８１Ａ…アンテナエレメント、
８１Ｂ…軸回転部、
８１Ｃ…アンテナ固定部、
８１１…スカート部、
８１２…固定接続部、
８１３…ネジ孔、
８１４…突起部、
８１５…接続端子
【図１】
2010109862.tif 000003
【図２】
2010109862.tif 000004
【図３】
2010109862.tif 000005
【図４】
2010109862.tif 000006
【図５】
2010109862.tif 000007
【図６】
2010109862.tif 000008
【図７】
2010109862.tif 000009